(57)【要約】【課題】グリル庫内の両側面を覆う着脱可能なカバー板が不用意に外れることを抑制するガスグリルを提供することを目的とするものである。【解決手段】グリル庫内２の両側面８を覆って載置したカバー板９の手前側端部および奥側端部に、それぞれ切り欠き１０、１１を設け、グリル庫内２の両側面８の手前側端部には、円柱状突起１２を、奥側端部には、鍔部１３を有し下部には円柱部１４を有する鍔付突起１５をそれぞれ設け、各突起１２、１５にカバー板９の切り欠き１０、１１を係止してグリル庫内２の両側面８にカバー板９を着脱自在に取り付けたもので、カバー板９を持ち上げようとする力が加わっても、カバー板９の切り欠き１１は鍔付突起１５の鍔部１３に当接するため、不用意にカバー板９は外れることがない。【選択図】　図１
2004135960.tif 000002
【特許請求の範囲】
【請求項１】
グリル庫内の両側面を覆って載置したカバー板の手前側端部および奥側端部に、それぞれ開口したＵ字状の切り欠きを設け、カバー板が載置されるグリル庫内の両側面の手前側端部には、カバー板の切り欠きの幅より小さい外径の円柱状突起を、奥側端部には、上部にカバー板の切り欠きの幅より大きな外径の鍔部を有し、下部には切り欠きの幅より小さい外径の円柱部を有する鍔付突起をそれぞれ設け、各突起にカバー板の切り欠きを係止してグリル庫内の両側面にカバー板を着脱自在に取り付けたガスグリル。
【請求項２】
グリル庫内の両側面の奥側端部に設けた鍔付突起は、鍔部の下面を円柱部に向かって下向きの円錐形状とした請求項１に記載のガスグリル。
【請求項３】
カバー板の手前側端部の一部を延長形成して、カバー板の着脱時の把手とした請求項１または２に記載のガスグリル。
【請求項４】
カバー板を載置するグリル庫内の両側面のグリル庫内中央側端部に、上側への曲げ部を設け、この曲げ部によりカバー板のグリル庫内中央側端部をガイドする請求項１〜３のいずれか１項に記載のガスグリル。
【発明の詳細な説明】
【０００１】
【発明の属する技術分野】
本発明は、グリル庫内の両側面を覆って汚れ防止用のカバー板を装備したガスグリルに関するものである。
【０００２】
【従来の技術】
従来、この種のガスグリルにおいて、カバー板のグリル庫内の両側面への取り付け構成は、カバー板の手前側端部および奥側端部に、それぞれＵ字状の切り欠きを設け、カバー板が載置されるグリル庫内の両側面の手前側端部および奥側端部にはそれぞれカバー板の切り欠きの幅より小さい外径の円柱状突起を設け、各円柱状突起にカバー板の切り欠きを係止して、カバー板を着脱自在に取り付けることにより、カバー板のお手入れを容易に行えるようにしたものであった（例えば、特許文献１参照）。
【０００３】
【特許文献１】
特開２００１−３３９号公報
【０００４】
【発明が解決しようとする課題】
しかしながら、前記従来の構成では、グリル使用後のお手入れの際などに油受け皿を引き出した状態で油受け皿に載置された焼き網を外そうと持ち上げた場合、焼き網の外枠部がカバー板に触れてカバー板が持ち上がり、カバー板の前後いずれかの切り欠き部が円柱状突起から容易に外れるという課題を有していた。
【０００５】
また、カバー板が反りや捻じれといった変形した状態にあると、カバー板は本来の載置位置より上方へ浮き上がった状態となるため、カバー板の切り欠き部が円柱状突起の上面を乗り越え易くなり外れてしまうという課題もあった。
【０００６】
本発明は、前記従来の課題を解決するもので、カバー板が不用意に外れることを抑制したガスグリルを提供することを目的とする。
【０００７】
【課題を解決するための手段】
前記目的を達成するために、本発明のガスグリルは、グリル庫内の両側面の奥側端部には、上部にカバー板の切り欠きの幅より大きな外径の鍔部を有し、下部には切り欠きの幅より小さい外径の円柱部を有する鍔付突起を設けたものである。
【０００８】
これによって、カバー板の奥側端部は鍔付突起により不用意に外れることがなくカバー板の外れが抑制されるものである。
【０００９】
【発明の実施の形態】
請求項１に記載の発明は、グリル庫内の両側面を覆って載置したカバー板の手前側端部および奥側端部に、それぞれ開口したＵ字状の切り欠きを設け、カバー板が載置されるグリル庫内の両側面の手前側端部には、カバー板の切り欠きの幅より小さい外径の円柱状突起を、奥側端部には、上部にカバー板の切り欠きの幅より大きな外径の鍔部を有し、下部には切り欠きの幅より小さい外径の円柱部を有する鍔付突起をそれぞれ設け、各突起にカバー板の切り欠きを係止してグリル庫内の両側面にカバー板を着脱自在に取り付けたガスグリルとすることにより、カバー板を持ち上げようとする力が加わっても、カバー板の奥側端部は鍔付突起の鍔部の存在により不用意に外れることがなく、カバー板の外れが抑制されるものである。
【００１０】
請求項２に記載の発明は、グリル庫内の両側面の奥側端部に設けた鍔付突起は、鍔部の下面を円柱部に向かって下向きの円錐形状とした請求項１に記載のガスグリルとすることにより、カバー板の奥側端部に設けた切り欠きを鍔付突起の円柱部に嵌合させる際、切り欠きが円錐形状部に沿いながら円柱部に向かって移動するため、グリル庫内の奥側端部であっても容易に嵌合させることができる。
【００１１】
請求項３に記載の発明は、カバー板の手前側端部の一部を延長形成して、カバー板の着脱時の把手とした請求項１または２に記載のガスグリルとすることにより、カバー板の着脱が把手をもって容易に行うことができる。
【００１２】
請求項４に記載の発明は、カバー板を載置するグリル庫内の両側面のグリル庫内中央側端部に、上側への曲げ部を設け、この曲げ部によりカバー板のグリル庫内中央側端部をガイドする請求項１〜３のいずれか１項に記載のガスグリルとすることにより、カバー板の装着時、カバー板がガイドされカバー板の切り欠きを突起に確実に係止でき、カバー板の装着を確実かつ容易に行うことができる。
【００１３】
【実施例】
以下、本発明の実施例について図面を用いて説明する。
【００１４】
（実施例１）
図１〜図３は本発明の実施例１におけるガスグリルを示すものである。
【００１５】
図１、図２において、１はグリル本体で、グリル庫内２にバーナ３、４を有する。５はグリル庫内２に装備した焼き網で、魚等の調理物６を載置している。７はグリル庫２内の焼き網５を載置した油受け皿で、グリル庫内２から焼き網５とともに引き出すことができるものである。
【００１６】
そして、グリル庫内２の側壁を構成するとともにグリル庫内２を上下に仕切っている両側面８には、これを覆ってカバー板９が着脱自在に載置されている。カバー板９の手前側端部および奥側端部には、それぞれ開口したＵ字状の切り欠き１０、１１を設けている。また、カバー板９が載置されるグリル庫内２の両側面８の手前側端部には、カバー板９の切り欠き１０の幅より小さい外径の円柱状突起１２を、奥側端部には、上部にカバー板９の切り欠き１１の幅より大きな外径の鍔部１３を有し、下部には切り欠き１１の幅より小さい外径の円柱部１４を有する鍔付突起１５をそれぞれ設けている。両側面８の各突起１２、１５にカバー板９の切り欠き１０、１１を係止してグリル庫内２の両側面８にカバー板９を着脱自在に取り付けている。
【００１７】
図３にカバー板９の装着手順を示している。まずカバー板９の奥側端部の切り欠き１１を鍔付突起１５の円柱部１４に横方向より嵌合させてから、カバー板９の手前側端部の切り欠き１０を円柱状突起１２に上方より嵌め込むことにより、カバー板９がグリル庫内２の両側面８に装着される。
【００１８】
次に作用、効果について説明する。今、カバー板９の奥側端部にカバー板９を持ち上げようとする力が加わっても、カバー板９の奥側端部の切り欠き１１は鍔付突起１５の鍔部１３に当接するため、カバー板９が鍔付突起１５から外れることはない。
【００１９】
このため、油受け皿７を引き出した状態で油受け皿７に載置された焼き網５を外そうと持ち上げた際、焼き網５の外枠部がカバー板９に触れる等、何らかの外力によって不用意にカバー板９の奥側が持ち上がっても、カバー板９の外れを抑制することができる。
【００２０】
また、カバー板９が反りや捻じれといった変形した状態にあり、カバー板９の奥側端部が本来の載置位置より上方へ浮き上がった状態になったとしても、切り欠き１１が鍔付突起１５の円柱部１４に嵌合している限り、カバー板９の奥側端部のみが外れるということはない。
【００２１】
したがって、カバー板９の奥側端部が鍔付突起１５から外れている、また外れそうであるといった確認が不要となるため、腰を屈めてグリル庫内２の奥を覗き込むという辛い姿勢をとらなくて済むものである。
【００２２】
（実施例２）
図４は本発明の実施例２におけるガスグリルのグリル庫内を示すものである。実施例１と基本構成は同一であるため同一部分には同一符号を付し、相違点について説明する。
【００２３】
本実施例において、グリル庫内２の両側面８の奥側端部に設けた鍔付突起１５は、鍔部１３の下面を円柱部１４に向かって下向きの円錐形状１６とした。
【００２４】
上記構成としたことにより、カバー板９の奥部端部の切り欠き１１を鍔付突起１５の円柱部１４に嵌合させる際、切り欠き１１が円柱部１４でなく鍔部１３に当たった場合でも、切り欠き１１が円錐形状１６に沿いながら円柱部１４に向かって移動するため、切り欠き１１を円柱部１４に容易に嵌合させることができる。
【００２５】
（実施例３）
図５は本発明の実施例３におけるガスグリルのグリル庫内を示すものである。実施例１と基本構成は同一であるため同一部分には同一符号を付し、相違点について説明する。
【００２６】
本実施例においては、カバー板９の手前側端部の一部を延長形成して、カバー板９の着脱時の把手１７とした。この把手１７は手前側上向きの延びた部分を把手としている。
【００２７】
上記構成としたことにより、カバー板９の手前側端部の把手１７を指で掴んでカバー板９を着脱することができ、カバー板９の着脱が容易に行える。
【００２８】
（実施例４）
図６は本発明の実施例４におけるガスグリルのグリル庫内を示すものである。実施例１と基本構成は同一であるため同一部分には同一符号を付し、相違点について説明する。
【００２９】
本実施例においては、カバー板９を載置するグリル庫内２の両側面８のグリル庫内中央側端部１８に、上側への曲げ部１９を設け、この曲げ部１９によりカバー板９のグリル庫内中央側端部２０をガイドするようにしたものである。
【００３０】
上記構成としたことにより、カバー板９の装着時、奥側端部の鍔付突起１５に嵌合させる際、カバー板９のグリル庫内２の両側面８側は側面壁に沿わせ、また、カバー板９のグリル庫内中央側端部２０は両側面８の曲げ部１９に沿わせて、カバー板９の左右位置を保った状態で奥側端部の鍔付突起１５に向かって確実に移動させることができるため、カバー板９の装着を確実かつ容易に行うことができる。
【００３１】
【発明の効果】
以上のように、本発明のガスグリルによれば、鍔付突起と切り欠きの組み合わせにより、何らかの外力によって不用意にカバー板が持ち上がっても、カバー板の外れを抑制することができる。
【図面の簡単な説明】
【図１】本発明の実施例１におけるガスグリルの断面図
【図２】同ガスグリルのグリル庫内を示す要部断面図
【図３】同ガスグリルにおけるカバー板の装着状態を示す説明図
【図４】本発明の実施例２におけるガスグリルのグリル庫内を示す要部断面図
【図５】本発明の実施例３におけるガスグリルのグリル庫内を示す要部断面図
【図６】本発明の実施例４におけるガスグリルの半裁断面図
【符号の説明】
１　グリル本体
２　グリル庫内
８　側面
９　カバー板
１０、１１　切り欠き
１２　円柱状突起
１３　鍔部
１４　円柱部
１５　鍔付突起
１６　円錐形状
１７　把手
１９　曲げ部
【図１】
2004135960.tif 000003
【図２】
2004135960.tif 000004
【図３】
2004135960.tif 000005
【図４】
2004135960.tif 000006
【図５】
2004135960.tif 000007
【図６】
2004135960.tif 000008